(57)【要約】      （修正有）【課題】吸盤の吸着力の低下を検知し、警報として伝える構造を有する吸盤構成体を提供する。【解決手段】吸盤と圧力センサー１２が備えられた吸盤構成体であって、圧力センサーに、制御回路基板１２１と警告素子１２２が結合され、閉鎖収納部１３に設置されて、吸盤本体の吸着面に連通されている。圧力センサーが、常に、吸盤吸着面の真空漏れ変化を検知して、制御回路基板に伝送し、フィードバック信号に変換して表示する。または、早期警報信号を駆動して、早期警報を発する。【選択図】図１
0003185718.tif 000002
【実用新案登録請求の範囲】
【請求項１】
吸盤本体と、閉鎖収納部に設置されて、上記吸盤本体の吸着面に連結され、制御回路基板と警告素子が結合される圧力センサー(pressure sensor)とからなる吸盤吸着力の検知及び警報構造を有する吸盤構成体であって、上記圧力センサー(pressure sensor)が、常に、吸盤の吸着面の真空漏れ変化を検知して、制御回路基板からフィードバック信号を伝送して表示し、警報信号を駆動することを特徴とする吸盤吸着力の検知及び警報構造を有する吸盤構成体。
【請求項２】
制御回路基板に、更に、無線送受信回路が連結され、遠隔受信のディジタルパネルに合わせて、即時監視情報を送受信し、制御回路基板が、無線送受信回路で検知圧力値を受信し、無線送受信回路で信号を遠隔ディジタルパネルに送信し、即時に、吸盤圧差の変化数値が表示されることを特徴とする請求項１に記載の吸盤吸着力の検知及び警報構造を有する吸盤構成体。
【請求項３】
密閉収納部に、吸着面に連通する空気孔が貫設され、密閉収納部が、直接に吸盤本体内に設置されても良いし、吸盤外部の外部収納部に連結されても良く、貫設された密閉収納部と吸盤本体の吸着面とが、互いに貼付箇所に、閉鎖気密室検知領域が形成されることを特徴とする請求項１に記載の吸盤吸着力の検知及び警報構造を有する吸盤構成体。
【請求項４】
吸盤本体の上端に、引張り式又は取っ手式の真空吸引のための施力部が設けられ、吸盤本体上端の施力部により、吸着面が、吸着して、真空吸着状態になることを特徴とする請求項１に記載の吸盤吸着力の検知及び警報構造を有する吸盤構成体。
【請求項５】
圧力センサー(pressure sensor)が、吸盤本体の密閉収納部に設置され、直接に検知し、外部連結の外部収納部に設置されて、連結されて検知することを特徴とする請求項１に記載の吸盤吸着力の検知及び警報構造を有する吸盤構成体。
【請求項６】
吸盤本体に貫設された密閉収納部内の制御回路基板に連結された圧力センサー(pressure sensor)に、更に、外部ディジタル表示器が、連結されて、吸盤圧差変化数値を表示することを特徴とする請求項１に記載の吸盤吸着力の検知及び警報構造を有する吸盤構成体。
【考案の詳細な説明】
【技術分野】
【０００１】
本考案は、吸盤の吸着力検知及び警報構造を有する吸盤構成体に関するものであり、さらに詳しくは、即時監視して、吸盤本体の吸着面の吸着圧力状態を検知し、圧差検知の変化により、自動的に早期警報を発する吸盤構成体に関するものである。
【背景技術】
【０００２】
一般の吸盤は、所定の時間、吸着に使用した後、或いは、吸着面の面積不足や吸盤吸着不確実性により、外部から空気が吸盤内へ入り、吸盤内において、負圧から正圧になり、吸盤の吸着力が少しずつ消失する。また、一般のユーザーが、吸盤の外観で、吸引力低減を察知できず、そのため、早期警報が得られない場合、吸盤が吸着平面から脱落することが多発し、吊り下げられた品物が、地面に落ちるおそれがある。かかる吸盤は安全性が不十分であり、安定した状態で使用することができないため、実用的とは言えない。
【０００３】
吸盤構造については、従来から多種の提案があり、例えば、特開２００５−６１６５３号公報（以下、「特許文献１」という。）には、皿形状の吸盤と、吸盤の中央部から直角に伸びるスリーブと、スリーブの先端に取り付けた押ボタンと、吸盤を収納し、スリーブが通り抜ける開口部を有する取付本体と、押ボタンと取付本体との間に介装されたコイルスプリングとからなり、押ボタンの外径を吸盤の外径より小さく形成した吸盤構造が記載されている。
【０００４】
特許文献１には、吸盤の吸着力を強くすると共に、吸着操作を行いやすくしたと記載されているが、吸着力の低下を検知し、警報として伝えるような構成については開示されていない。
【特許文献１】特開２００５−６１６５３号公報
【考案の概要】
【考案が解決しようとする課題】
【０００５】
従って、本考案の課題は、常に吸盤の吸着面の真空漏れ変化を検知して、早期警報信号の送信可能な吸盤の吸着力検知及び警報構造を有する吸盤構成体を提供することにある。
【課題を解決するための手段】
【０００６】
そこで、本考案者は、上記の本考案の課題を解決するため、鋭意検討を重ねた結果、制御回路基盤と警報素子を有する圧力センサーと、吸盤吸着面とを連通することにより、圧力センサーが常に吸着面の真空度の変化を検知することが可能となり、制御回路基盤からフィードバック信号を伝送して表示し、警報信号を駆動すれば、即時に圧力状態を監視することができ、自動警告によりユーザーに吸盤の吸着力状態を知らせて、即時に吸着圧力を補充することができる点に着目し、本考案に想到するに至った。
【０００７】
すなわち、本考案の目的は、制御回路基板と警告素子を有する圧力センサー(pressure sensor)と、吸盤吸着面とが連通されて、圧力センサー(pressure sensor)が、常に、吸盤吸着面の真空漏れ変化を検知して、制御回路基板からフィードバック信号を伝送して表示し、早期警報信号を駆動し、即時に、圧力状態を監視でき、自動警告効果が得られる吸盤であって、ユーザーに、吸盤の吸着力状態を知らせて、早期警報を通知し、即時に、吸着圧力を補充でき、吸盤の吸着が低下し、吸盤が脱落することを防止できる吸盤吸着力検知及び警報構造を有する吸盤構成体を提供することにある。
【０００８】
かくして、請求項１の考案によれば、吸盤本体と、閉鎖収納部に設置されて、上記吸盤本体の吸着面に連結され、制御回路基板と警告素子が結合される圧力センサー(pressure sensor)とからなる吸盤吸着力の検知及び警報構造を有する吸盤構成体であって、上記圧力センサー(pressure sensor)が、常に、吸盤の吸着面の真空漏れ変化を検知して、制御回路基板からフィードバック信号を伝送して表示し、警報信号を駆動することを特徴とする吸盤吸着力の検知及び警報構造を有する吸盤構造体が提供される。
【０００９】
請求項２の考案によれば、制御回路基板に、更に、無線送受信回路が連結され、遠隔受信のディジタルパネルに合わせて、即時監視情報を送受信し、制御回路基板が、無線送受信回路で検知圧力値を受信して、無線送受信回路で信号を遠隔ディジタルパネルに送信し、即時に、吸盤圧差の変化数値が表示されることを特徴とする請求項１に記載の吸盤吸着力の検知及び警報構造を有する吸盤構成体が提供される。
【００１０】
請求項３の考案によれば、密閉収納部に、吸着面に連通する空気孔が貫設され、密閉収納部が、直接に吸盤本体内に設置されても良いし、吸盤本体外部の外部収納部に連結されても良く、貫設された密閉収納部と吸盤の吸着面とが、互いに貼付箇所に、閉鎖気密室検知領域が形成されることを特徴とする請求項１に記載の吸盤吸着力の検知及び警報構造を有する吸盤構成体が提供される。
【００１１】
請求項４の考案によれば、吸盤本体の上端に、引張り式又は取っ手式の真空吸引のための施力部が設けられ、吸盤上端の施力部により、吸着面が吸着して、真空吸着状態になることを特徴とする請求項１に記載の吸盤吸着力の検知及び警報構造を有する吸盤構成体が提供される。
【００１２】
請求項５の考案によれば、圧力センサー(pressure sensor)が、吸盤本体の密閉収納部に設置され、直接に検知し、外部連結の外部収納部に設置されて、連結されて検知することを特徴とする請求項１に記載の吸盤吸着力の検知及び警報構造を有する吸盤構成体が提供される。
【００１３】
請求項６の考案によれば、吸盤本体に貫設された密閉収納部内の制御回路基板に連結された圧力センサー(pressure sensor)に、更に、外部ディジタル表示器が、連結されて、吸盤圧差変化数値を表示することを特徴とする請求項１に記載の吸盤吸着力の検知及び警報構造を有する吸盤構成体が提供される。
【考案の効果】
【００１４】
本考案は、上記の通りの構成からなり、吸盤吸着力の変化を即時に検知することができ、警報構造を駆動させることができるので、吸盤構成体の吸着壁面からの落下を事前に防止することができる。
【考案を実施するための最良の形態】
【００１５】
以下、図面を参照しながら、本考案の特徴や技術内容について、詳しく説明するが、それらの図面等は、参考や説明のためであり、本考案は、それらによって限定されるものではない。
【００１６】
図１のように、本考案に係る吸盤構成体には、吸盤本体10と圧力センサー(pressure sensor)12があり、上記吸盤本体10の底側に、吸着面11が設けられ、上記吸着面11が、平面状ややや凹み形状になり、上記圧力センサー(pressure sensor)12は、制御回路基板121と警告素子122に結合され、吸盤本体10の吸着面11に連通するように、密閉収納部13に設置される。
【００１７】
本考案によれば、図２と図３のように、吸盤本体10は、吸着面11を、気密に、張り付けて、真空吸着状態になるように吸着し、同時に、貫通した密閉収納部13と吸盤本体10の吸着面11との間に、閉鎖気密室検知領域13Aが形成される。圧力センサー(pressure sensor)12で、吸着面11の吸着力について、吸着圧力状態を検知し、制御回路基板121で、圧差と吸着面11の吸着圧力状態を算出し、吸着面11に空気が侵入すれば、直ちに、密閉収納部13内の圧力センサー(pressure sensor)12が、吸着面11に連通するため、検知でき、その内部の真空値や負圧値が、それとともに変化する。そして、圧力センサー(pressure sensor)12で、閉鎖気密室検知領域13Aを検知して、制御回路基板121により、信号を変換と演算して、表示する、閉鎖気密室検知領域13Aに、空気が侵入することにより、真空値や負圧差が、予め設定した早期警報圧力値に到達すると、制御回路基板121が、警告素子122を駆動して、信号を発し、ユーザーに、より速く、吸盤本体10の吸引力が低減していることを知らせ、常に、吸盤本体10内の真空負圧吸引力を補充して、有効に、脱落することを防止することができる。これにより、より安全に吸着でき、また、即時監視に、圧力状態を検知して、圧差検知変化を利用して、自動的に早期警報を発する実用的な吸盤構成体を提供できる。
【００１８】
また、上記の密閉収納部13は、直接に吸盤本体10内に設置されて、吸盤本体10の外部にある外部収納部(図に未表示)に連通することにより、閉鎖気密室検知領域が形成され、圧力センサー(pressure sensor)12が、直接に、吸盤本体10の密閉収納部13に設置されて、検知しもよく、外部に連結された外部収納部内に設置されて、連結により検知してもよい。また、上記警告素子122は、LED光源や音声或いは音楽等の音声か光による警報である。
【００１９】
また、上記の吸盤本体10に貫設された密閉収納部13内において、制御回路基板121に連結された圧力センサー(pressure sensor)12が、外部ディジタル表示器に連結されて、吸盤本体10の圧差変化数値を表示しても良い。
【００２０】
また、上記の吸盤本体10に貫設された密閉収納部13内において、制御回路基板121に、更に、無線送受信回路が連結され、遠隔受信ディジタルパネルに合わせて、送受信を行うことにより即時監視を実行する。制御回路基板121は、無線送受信回路で、受信した検知圧力値を、無線送受信回路で、遠隔ディジタルパネルへ送信でき、また、受信した信号に基づいて、即時に、吸盤本体10の圧差変化数値を表示できる。
【００２１】
また、上記の吸盤本体10の上端に、図４に示す引張り式や図５に示す取っ手式の真空吸引のための施力部14が設けられ、施力部14と密閉収納部13とが連通され、密閉収納部13に、空気孔131が貫設され、吸着する時、施力部14を引張ることにより、吸盤本体10の吸着面11が、真空吸着に形成される。同時に、吸着面11が、緊密に貼り付くことができ、貼付箇所に閉鎖気密室検知領域13Aが形成される。また、圧力センサー(pressure sensor)12が、密閉収納部13に連通された空気孔131を介して、常に、吸盤本体10の吸着面11の圧力変化を検知でき、早期警報信号を駆動でき、早期警報が実現され、より安全であり且つ利便性に優れた吸盤構成体が得られる。
【００２２】
以上は、本考案のより良い実施形態であり、本考案は、それらによって限定されるものではなく、本考案に係る実用新案登録請求の範囲や明細書の内容に基づいて行った等価の変更や修正は、全てが、本考案の範囲内に含まれることは明らかである。
【図面の簡単な説明】
【００２３】
【図１】本考案の一実施形態による吸盤構成体の断面図である。
【図２】本考案の一実施形態による吸盤構成体の使用状態図一である。
【図３】本考案の一実施形態による吸盤構成体の使用状態図二である。
【図４】本考案の一実施形態による吸盤構成体の斜視図である。
【図５】本考案の他の実施形態による吸盤構成体の斜視図である。
【符号の説明】
【００２４】
10  吸盤本体
11  吸着面
12  圧力センサー
121  制御回路基板
122  警告素子
13  密閉収納部
13A  閉鎖気密室検知領域
131  空気孔
14  施力部
【図１】
0003185718.tif 000003
【図２】
0003185718.tif 000004
【図３】
0003185718.tif 000005
【図４】
0003185718.tif 000006
【図５】
0003185718.tif 000007